(57)【特許請求の範囲】
【請求項１】
被検眼に関する情報を取得するための第１の光学系と、前記被検眼の前眼部を撮影するための第２の光学系とを含む光学系と、
前記光学系を移動させるための移動機構と、
前記光学系が形成する光路と異なる位置に設けられ、前記被検眼の前眼部に照明光を照射する１以上の光源と、
前記照明光が照射されている前記前眼部を前記第２の光学系により撮影して得られた画像における輝度値の分布を求める画像処理部と、
情報を出力するための出力部と、
前記画像処理部により求められた前記輝度値の分布が所定値に基づく許容条件を満足するか判定し、満足しないと判定されたときに前記出力部に報知情報を出力させる制御部と
を備え、
前記光学系と前記被検眼との間にアタッチメントを装着可能である
ことを特徴とする眼科装置。
【請求項２】
被検眼に関する情報を取得するための第１の光学系と、前記被検眼の前眼部を撮影するための第２の光学系とを含む光学系と、
前記光学系を移動させるための駆動力を発生するアクチュエータを含む移動機構と、
前記光学系が形成する光路と異なる位置に設けられ、前記被検眼の前眼部に照明光を照射する１以上の光源と、
前記照明光が照射されている前記前眼部を前記第２の光学系により撮影して得られた画像における輝度値の分布を求める画像処理部と、
前記画像処理部により求められた前記輝度値の分布が所定値に基づく許容条件を満足するか判定し、満足しないと判定されたときに前記アクチュエータを制御する制御部と
を備え、
前記光学系と前記被検眼との間にアタッチメントを装着可能である
ことを特徴とする眼科装置。
【請求項３】
被検眼に関する情報を取得するための第１の光学系と、前記被検眼の前眼部を撮影するための第２の光学系とを含む光学系と、
操作部と、ユーザが前記操作部に印加した力を受けて前記光学系を移動する機構とを含む移動機構と、
前記光学系が形成する光路と異なる位置に設けられ、前記被検眼の前眼部に照明光を照射する１以上の光源と、
前記照明光が照射されている前記前眼部を前記第２の光学系により撮影して得られた画像における輝度値の分布を求める画像処理部と、
前記画像処理部により求められた前記輝度値の分布が所定値に基づく許容条件を満足するか判定し、満足しないと判定されたときに前記移動機構を制御する制御部と
を備え、
前記光学系と前記被検眼との間にアタッチメントを装着可能である
ことを特徴とする眼科装置。
【請求項４】
前記アタッチメントの装着を検知する装着検知部を含み、
前記制御部は、前記アタッチメントの装着が検知されないとき、第１の制御モードで前記制御を行い、かつ、前記アタッチメントの装着が検知されたとき、第２の制御モードで前記制御を行う
ことを特徴とする請求項１〜請求項３のいずれか一項に記載の眼科装置。
【請求項５】
前記輝度値の分布は、輝度値のヒストグラムであり、
前記制御部は、前記画像処理部により求められた前記輝度値のヒストグラムにおいて輝度値が所定値以下である画素の個数が閾値を超えるか判定する
ことを特徴とする請求項１〜請求項４のいずれか一項に記載の眼科装置。
【請求項６】
前記輝度値の分布は、輝度値のマップであり、
前記制御部は、前記画像処理部により求められた前記輝度値のマップの所定範囲内に、輝度値が所定値以下である画素が存在するか判定する
ことを特徴とする請求項１〜請求項４のいずれか一項に記載の眼科装置。
【請求項７】
前記輝度値の分布は、輝度値のマップであり、
前記制御部は、前記画像処理部により求められた前記輝度値のマップの所定範囲内における、輝度値が所定値以下である画素の個数が、閾値を超えるか判定する
ことを特徴とする請求項１〜請求項４のいずれか一項に記載の眼科装置。
【発明の詳細な説明】
【技術分野】
【０００１】
本発明は、眼科装置に関する。
【背景技術】
【０００２】
眼科分野においては様々な装置が用いられる。たとえば、被検眼の画像を取得するための装置（撮影装置）や、被検眼を検査するための装置（検査装置）などが用いられる。撮影装置としては、光コヒーレンストモグラフィ装置（ＯＣＴ装置）、眼底カメラ、スリットランプ、走査型レーザ検眼鏡（ＳＬＯ）などがある。検査装置としては、レフラクトメータ、ケラトメータ、眼圧計、視野計などがある。また、２以上の装置を組み合わせてなる複合機も使用されている。
【０００３】
いくつかの眼科装置においては、撮影や検査のための主たる光路から外れた位置に、被検眼の前眼部（角膜等）を照明するための光源が設けられている。また、所定の機能を任意的に適用するためのアタッチメントを装着可能な眼科装置も各種存在する。典型的なアタッチメントとして、撮影や検査のための光学系と被検眼との間に配置される光学系を含むアタッチメントがある。
【先行技術文献】
【特許文献】
【０００４】
【特許文献１】特開２０１３−２１２３１４号公報
【発明の概要】
【発明が解決しようとする課題】
【０００５】
ところで、眼科装置の光学系は一般に、移動可能に構成されている。ユーザまたは眼科装置は、被検眼の撮影や検査に好適な位置に光学系を移動させることができる。特に、被検眼から好適な距離（ワーキングディスタンス）だけ離れた位置に光学系を配置させることが可能である。
【０００６】
被検眼に向かって光学系を移動しているとき、不注意等により被検者に装置が接触（衝突）することがある。特に、光学系の前方にアタッチメントが装着されている場合、そのおそれが高まる。なお、装置の前方への移動に所定の制限を掛けることにより、被検者に装置が接触することを防止する機能が設けられている場合もあるが、そのような機能を有しない眼科装置においては、接触を防止するためにユーザは細心の注意を払う必要がある。一方、どんなに注意を払ったとしても接触の可能性がゼロになる訳ではない。
【０００７】
また、いくつかの眼科装置には、複数のアタッチメントが選択的に装着される。さらに、これらアタッチメントのサイズ（特に前後方向の長さ）が互いに異なる場合がある。このような場合、装着されているアタッチメントのサイズに応じて、アタッチメントと被検者との間の距離が変わる。特に、前後方向に長いアタッチメントが装着されている場合、装置が被検者に接触する可能性が高くなってしまう。
【０００８】
なお、アタッチメントに光源を設けた構成が採用されることもあるが、前眼部の撮影画像に光源が写り込み、画質を著しく低下させるという問題がある。また、被検者に接触するおそれのあるアタッチメントに電気的な構成を設けることは、安全性の観点から出来るだけ避けるべきと考えられる。
【０００９】
この発明の目的は、眼科装置が被検者に接触する事態を防止するための技術を提供することにある。
【課題を解決するための手段】
【００１０】
上記目的を達成するために、請求項１に記載の発明は、被検眼に関する情報を取得するための第１の光学系と、前記被検眼の前眼部を撮影するための第２の光学系とを含む光学系と、前記光学系を移動させるための移動機構と、前記光学系が形成する光路と異なる位置に設けられ、前記被検眼の前眼部に照明光を照射する１以上の光源と、前記照明光が照射されている前記前眼部を前記第２の光学系により撮影して得られた画像における輝度値の分布を求める画像処理部と、情報を出力するための出力部と、前記画像処理部により求められた前記輝度値の分布が所定値に基づく許容条件を満足するか判定し、満足しないと判定されたときに前記出力部に報知情報を出力させる制御部とを備え、前記光学系と前記被検眼との間にアタッチメントを装着可能であることを特徴とする眼科装置である。
請求項２に記載の発明は、被検眼に関する情報を取得するための第１の光学系と、前記被検眼の前眼部を撮影するための第２の光学系とを含む光学系と、前記光学系を移動させるための駆動力を発生するアクチュエータを含む移動機構と、前記光学系が形成する光路と異なる位置に設けられ、前記被検眼の前眼部に照明光を照射する１以上の光源と、前記照明光が照射されている前記前眼部を前記第２の光学系により撮影して得られた画像における輝度値の分布を求める画像処理部と、前記画像処理部により求められた前記輝度値の分布が所定値に基づく許容条件を満足するか判定し、満足しないと判定されたときに前記アクチュエータを制御する制御部とを備え、前記光学系と前記被検眼との間にアタッチメントを装着可能であることを特徴とする眼科装置である。
請求項３に記載の発明は、被検眼に関する情報を取得するための第１の光学系と、前記被検眼の前眼部を撮影するための第２の光学系とを含む光学系と、操作部と、ユーザが前記操作部に印加した力を受けて前記光学系を移動する機構とを含む移動機構と、前記光学系が形成する光路と異なる位置に設けられ、前記被検眼の前眼部に照明光を照射する１以上の光源と、前記照明光が照射されている前記前眼部を前記第２の光学系により撮影して得られた画像における輝度値の分布を求める画像処理部と、前記画像処理部により求められた前記輝度値の分布が所定値に基づく許容条件を満足するか判定し、満足しないと判定されたときに前記移動機構を制御する制御部とを備え、前記光学系と前記被検眼との間にアタッチメントを装着可能であることを特徴とする眼科装置である。
請求項４に記載の発明は、請求項１〜請求項３のいずれか一項に記載の眼科装置であって、前記アタッチメントの装着を検知する装着検知部を含み、前記制御部は、前記アタッチメントの装着が検知されないとき、第１の制御モードで前記制御を行い、かつ、前記アタッチメントの装着が検知されたとき、第２の制御モードで前記制御を行うことを特徴とする。
請求項５に記載の発明は、請求項１〜請求項４のいずれか一項に記載の眼科装置であって、前記輝度値の分布は、輝度値のヒストグラムであり、前記制御部は、前記画像処理部により求められた前記輝度値のヒストグラムにおいて輝度値が所定値以下である画素の個数が閾値を超えるか判定することを特徴とする。
請求項６に記載の発明は、請求項１〜請求項４のいずれか一項に記載の眼科装置であって、前記輝度値の分布は、輝度値のマップであり、前記制御部は、前記画像処理部により求められた前記輝度値のマップの所定範囲内に、輝度値が所定値以下である画素が存在するか判定することを特徴とする。
請求項７に記載の発明は、請求項１〜請求項４のいずれか一項に記載の眼科装置であって、前記輝度値の分布は、輝度値のマップであり、前記制御部は、前記画像処理部により求められた前記輝度値のマップの所定範囲内における、輝度値が所定値以下である画素の個数が、閾値を超えるか判定することを特徴とする。
【発明の効果】
【００１１】
この発明によれば、眼科装置が被検者に接触する事態を防止することが可能である。
【図面の簡単な説明】
【００１２】
【図１】実施形態に係る眼科装置の構成の一例を表す概略図である。
【図２】実施形態に係る眼科装置の動作例を表すフローチャートである。
【図３】実施形態に係る眼科装置の動作を説明するための概略図である。
【発明を実施するための形態】
【００１３】
この発明に係る眼科装置の実施形態の一例について、図面を参照しながら詳細に説明する。
【００１４】
［構成］
実施形態に係る眼科装置の構成の一例を図１に示す。眼科装置１は、被検眼Ｅの検査および／または撮影を行う機能を備える。特に、眼科装置１は、被検眼Ｅの前眼部Ｅａを撮影する機能を備える。眼科装置１は、光学ユニット２と、前眼部照明光源３と、アタッチメント４と、移動機構５と、画像処理部６と、制御部７と、ユーザインターフェイス７とを含む。
【００１５】
（光学ユニット２）
光学ユニット２は、被検眼Ｅの検査および／または撮影を行うための各種の光学素子を含む。また、光学ユニット２は、光学素子を移動させたり回転させたりするための機構を含んでいてもよい。光学ユニット２には、特に、情報取得光学系２１と、前眼部撮影光学系２２とが含まれている。
【００１６】
情報取得光学系２１は、被検眼Ｅの情報を取得するための光学系である。情報取得光学系２１により取得される情報には、任意の眼科検査により取得される検査データ、および／または、任意の眼科撮影手法（眼科モダリティ）により取得される撮影データ（画像データ、画像データを形成するために収集されたデータなど）が含まれる。情報取得光学系２１は、実施可能な検査および／または撮影の種別に応じた光学系を含む。情報取得光学系２１により実施可能な検査および／または撮影の種別は１つには限定されず、２以上であってもよい。情報取得光学系２１は、任意の眼科検査および／または任意の眼科撮影を実施可能に構成されていてよい。
【００１７】
たとえば、眼科装置１は、ＯＣＴ装置、眼底カメラ、スリットランプ、ＳＬＯ、レフラクトメータ、ケラトメータ、眼圧計、視野計などのうちの１つ以上の装置として機能する。一例として、眼科装置１がＯＣＴ装置としての機能を備える場合、情報取得光学系２１は、一般的なＯＣＴ装置と同様に、次の構成要素を含む：光源（低コヒーレンス光源、波長掃引光源など）；光源から出力された光を測定光と参照光とに分割し、かつ、被検眼Ｅからの測定光の戻り光と参照光とを干渉させる干渉光学系；干渉光学系により生成された干渉光を検出する検出部（分光器、バランスドフォトディテクタなど）。この場合、眼科装置１は、検出部による干渉光の検出結果に基づいて被検眼Ｅ（眼底Ｅｆ、前眼部Ｅａなど）の断面像や３次元画像を形成する回路および／またはプロセッサを備える。眼科装置１が他の装置として機能する場合においても同様に、当該機能に応じた構成（光学系）が情報取得光学系２１に搭載される。
【００１８】
前眼部撮影光学系２２は、被検眼Ｅの前眼部Ｅａを撮影するための光学系である。前眼部撮影光学系２２により実行可能な撮影態様は、静止画撮影および／または動画撮影である。前眼部撮影光学系２２は、各種のレンズ（結像レンズ、フォーカシングレンズ、リレーレンズなど）と、レンズ以外の光学素子（絞りイメージセンサ（ＣＣＤイメージセンサ、ＣＭＯＳイメージセンサなど）とを含む。また、前眼部撮影光学系２２は、光源を含んでいてよい。この光源は、たとえば、赤外光（近赤外光）および／または可視光を発する。
【００１９】
本実施形態では、後述の前眼部照明光源３により照明されている状態の前眼部Ｅａが、前眼部撮影光学系２２によって撮影される。前眼部照明光源３は、たとえば光学ユニット２の前面（眼科装置１の筐体）に取り付けられている。前眼部照明光源３の個数は１以上の任意の個数であってよい。２以上の前眼部照明光源３が設けられる場合、これら前眼部照明光源３は、たとえば、光学ユニット２の光路ＯＰに対して対称配置される。前眼部照明光源３は、たとえば赤外光（近赤外光）および／または可視光を発する。
【００２０】
前眼部撮影光学系２２は、２以上のカメラを含んだ構成であってもよい。たとえば、光学ユニット２の前面（被検者に対向する面）の異なる位置に２つのカメラを設ける。そして、２つのカメラを用いて異なる方向から前眼部Ｅａを撮影する。すなわち、２つのカメラは、前眼部Ｅａのステレオ撮影を行う。眼科装置１は、２つのカメラにより実質的に同時に取得された２つの画像に基づいて、前眼部Ｅａの位置情報を求めることが可能である。
【００２１】
一方、図１に示す構成例においては、情報取得光学系２１と前眼部撮影光学系２２の双方が光学ユニット２の内部に格納されている。さらに、情報取得光学系２１から延びる光路と、前眼部２２から延びる光路とが、ビームスプリッタ２３によって合成されている。ビームスプリッタ２３としては、たとえば、情報取得光学系２１により使用される波長帯および前眼部撮影光学系２２により使用される波長帯に応じて、ダイクロイックミラーやハーフミラーが適用される。ビームスプリッタ２３により合成された光路ＯＰには、対物レンズ２４が配置されている。
【００２２】
光学ユニット２の前面にアタッチメント４を装着することが可能である。なお、図１はアタッチメント４が装着されている状態を示しているが、アタッチメント４は、対物レンズ２４と被検眼Ｅとの間に配置される。アタッチメント４が装着される光学ユニット２の部位（またはその近傍）には、装着検知部４１が設けられている。装着検知部４１は、アタッチメント４の装着を検知する。「装着を検知する」とは、たとえば、装着されたことの検知、装着されていることの検知、取り外されたことの検知、取り外されていることの検知など、アタッチメント４の装着に関する任意のイベントの検知および／または任意の状態の検知を意味するものとする。装着検知部４１は、たとえば、アタッチメント４の装着（または取り外し）に応じて発生する所定の物理量の変動を受けてアタッチメント４の装着を検知する。この物理量の例として、磁場の大きさ・方向や、圧力の大きさ（有無）などがある。装着検知部４１は、検出対象である物理量の種別に応じた構成を有する（たとえば磁気センサや圧力センサやマイクロスイッチなど）。また、検出対象である物理量の種別に応じてアタッチメント４に付加的な構成要素が設けられる（たとえば磁石や凸部や凹部など）。
【００２３】
アタッチメント４の例を説明する。情報取得光学系２１が眼底撮影用のＯＣＴ光学系として機能する場合において、情報取得光学系２１を用いて前眼部のＯＣＴを実施するためのアタッチメント４を適用することが可能である。このアタッチメント４（前眼部撮影用アタッチメント）には、少なくとも、情報取得光学系２１から出力された測定光を前眼部Ｅａ（角膜等）に集束させるためのレンズが含まれている。すなわち、このレンズは、本来は眼底Ｅｆに集束される測定光を前眼部Ｅａに集束させるように作用する。
【００２４】
移動機構５は、光学ユニット２を移動させるための機構である。移動機構５は、少なくとも前後方向（±ｚ方向）に光学ユニット２を移動させるが、光学ユニット２の移動可能方向はこれには限定されない。光学ユニット２の移動態様は、電動での移動および／または手動での移動である。電動の場合、移動機構５にはアクチュエータ５１が設けられる。アクチュエータ５１は、たとえばパルスモータを含む。アクチュエータ５１は、制御部７からの制御を受けて駆動力を発生する。移動機構５は、アクチュエータ５１により出力された駆動力を光学ユニット２まで伝達する機構を含む。なお、制御部７は、既定のコンピュータプログラムにしたがってアクチュエータ５１を自動制御し、或いは、制御部７は、ユーザインターフェイス８の操作部８２からの操作信号に基づいてアクチュエータ５１を制御する。手動の場合、アクチュエータ５１は設けられていなくてよい。手動の場合、ユーザは、操作部８２を用いて、光学ユニット２を移動させるための操作を行う。この操作により印加された力Ｆ１は、図示しない機構を介して移動機構５まで伝達され、移動機構５によって光学ユニット２を移動させるための力Ｆ２に変換される。
【００２５】
画像処理部６は、前眼部照明光源３により照明されている前眼部Ｅａを前眼部撮影光学系２２により撮影して得られた画像（前眼部像）を受けて、この前眼部像における画素値の分布を求める。画素値は、たとえば輝度値である。画像処理部６は、たとえば、輝度値のヒストグラムを作成する。より具体的には、画像処理部６は、輝度値の階調範囲を複数の区間に分割してなるヒストグラムのテンプレートを準備する。さらに、画像処理部６は、前眼部像の一の画素が示す輝度値に基づいて、上記複数の区間のいずれかに当該画素を割り当てる。この処理を前眼部像の全ての画素（または一部の画素）について実行することにより、輝度分布を表すヒストグラムが得られる。
【００２６】
画像処理部６により取得可能な分布の他の例を説明する。上記のヒストグラムは輝度値の大きさに着目したものであるが、画素の位置を考慮して分布を作成することが可能である。たとえば、前眼部像に含まれる複数の画素を、輝度値の大きさに応じて複数の属に分類する。この複数の属は、たとえばヒストグラムにおける複数の区間と同様であってよい。さらに、画像処理部６は、複数の属のそれぞれに対して固有の情報を付与する。これら固有の情報は、一の属と他の属とを識別可能とする情報であればその形態は不問であり、たとえば画素値（輝度値、カラー値）でもよいし、番号等でもよい。画素値が付与される場合、前眼部像における輝度値の分布を表すマップが得られる。
【００２７】
輝度値の分布を表す情報は、これらには限定されない。たとえば、前眼部像の少なくとも一部の領域に含まれる画素の輝度値を統計的に処理することによって分布を求めることが可能である。この統計的な処理の例として、加算、重み付け加算、平均値算出、中央値算出、最頻値算出、バラつき値（分散、標準偏差）算出などがある。
【００２８】
制御部７は、たとえば、マイクロプロセッサ、ＲＡＭ、ＲＯＭ、ハードディスクドライブ、プログラマブルロジックデバイス、通信インターフェイス等を含んで構成される。制御部７は眼科装置１における各種制御を行う。たとえば、制御部７は、情報取得光学系２１の制御、前眼部撮影光学系２２の制御、前眼部照明光源３の制御、移動機構５（アクチュエータ５１）の制御、画像処理部６の制御、情報出力部８１の制御などを実行する。アタッチメント４に制御可能な構成要素が含まれている場合、制御部７は、当該構成要素の制御を行うことが可能である。なお、制御部７の特徴的な動作については後述する。
【００２９】
また、制御部７は、各種のデータを記憶する。制御部７に記憶されるデータとしては、たとえば、情報取得光学系２１により取得されたデータ（検査データ、撮影データ）や、前眼部撮影光学系２２により取得された画像データや、被検者情報や、被検眼情報などがある。また、制御部７には、眼科装置１を動作させるための各種コンピュータプログラムやデータが記憶されている。
【００３０】
ユーザインターフェイス７は、情報出力部８１と、操作部８２とを含む。情報出力部８１は、表示デバイス、音声出力デバイス、印刷デバイスなどを含む。情報出力部８１は、制御部７による制御を受けて動作する。操作部８２は、眼科装置１を操作するためにユーザによって使用される。また、操作部８１は、眼科装置１に対して情報を入力するために使用される。操作部８２には、眼科装置１の筐体や外部に設けられた各種のボタンやキーやレバーが含まれていてもよい。情報出力部８１と操作部８２は、それぞれ個別のデバイスとして構成される必要はない。たとえばタッチパネルのように、表示機能と操作機能とが一体化されたデバイスを用いることも可能である。
【００３１】
［動作］
眼科装置１の動作について説明する。図２は、眼科装置１の動作の一例を表す。
【００３２】
（Ｓ１）
まず、制御部７は、前眼部照明光源３を点灯させ、かつ、前眼部撮影光学系２２を動作させることにより、被検眼Ｅの前眼部Ｅａの撮影を開始させる。この前眼部撮影は、所定のフレームレートで実行される動画撮影である。前眼部撮影光学系２２からの画像信号（映像信号）は、制御部７を介して画像処理部６に逐次に送られる。各フレームに相当する画像信号が一枚の前眼部像に相当する。
【００３３】
（Ｓ２）
画像処理部６は、前眼部像の輝度分布を取得する処理を開始する。輝度分布を取得する処理は、たとえば前述した要領で前眼部像を解析することにより行われる。画像処理部６は、逐次に入力される前眼部像に対して当該処理を施す。或いは、画像処理部６は、フレームレートよりも低いレートで当該処理を反復する（つまり、間引き処理を行う）。また、後述する輝度分布の判定処理（Ｓ５）もこの時点において開始される。
【００３４】
（Ｓ３）
ユーザは、操作部８２を操作することにより、光学ユニット２の移動を開始する。光学ユニット２の移動先は、所定の撮影位置（または検査位置）である。撮影位置（検査位置）とは、たとえば、眼科装置１を用いて撮影（検査）を実施するための眼科装置１と被検眼Ｅとの間の既定の距離（ワーキングディスタンス）に対応する位置である。或いは、撮影位置（検査位置）は、たとえば、前眼部像や眼底像やＯＣＴ画像を観察しつつ得られる、撮影（検査）に適切と判断された位置である。本実施形態では、被検眼Ｅに近接する方向に光学ユニット２が移動されるものとする。
【００３５】
（Ｓ４）
上記のように、ユーザは、撮影位置（検査位置）に達するまで光学ユニット２を移動させる。撮影位置（検査位置）に達した場合（Ｓ４：ＹＥＳ）、所定の操作を行うことにより撮影（検査）を眼科装置１に実行させる。
【００３６】
（Ｓ５〜Ｓ７：輝度分布が許容条件を満たすか？）
光学ユニット２が撮影位置（検査位置）に達する前に（Ｓ４：ＮＯ）、輝度分布が許容条件を満たさないと判定された場合（Ｓ５およびＳ６：ＮＯ）、制御部７は、情報出力部８１に警告情報を出力させる。以下、この処理について説明する。
【００３７】
まず、Ｓ５の判定処理について説明する。この処理は制御部７により実行される。制御部７は、許容条件をあらかじめ記憶している。許容条件は、輝度分布に関する許容範囲を規定する情報である。輝度分布がヒストグラムである場合には、たとえば「輝度値が所定値以下である画素の個数が閾値を超えること」などが許容条件として適用される。また、輝度分布がマップである場合には、たとえば「マップの所定範囲内に、輝度値が所定値以下である画素が存在すること」、或いは「マップの所定範囲内における、輝度値が所定値以下である画素の個数が、閾値を超えること」などが許容条件として適用される。制御部７は、このような所定の許容条件を前眼部像の輝度分布が満足するか否か、逐次に判定を行う。輝度分布が許容条件を満足している間においては（Ｓ６：ＹＥＳ）、特段の処理は実行されない。
【００３８】
輝度分布が許容条件を満足しない場合に発生している現象について説明する。光学ユニット２が被検眼Ｅから離れている状態においては、図１に示すように、前眼部照明光源３から出力される光の照射範囲（進行経路）Ｒがアタッチメント４に遮られることはない。この状態では、前眼部Ｅａ全体が好適に照明されているため、取得される前眼部像の輝度分布は許容条件を満足する。一方、光学ユニット２が被検眼Ｅに近づいていくと、図３に示すように、前眼部照明光源３から出力される光の照射範囲Ｒの一部（または全部）がアタッチメント４によって遮られる。そうすると、取得される前眼部像の輝度分布が許容条件を満足しない状況が発生する。なお、アタッチメント４のサイズは、光学ユニット２が撮影位置に配置されたときに照射範囲Ｒを遮らないようにあらかじめ設計されている。したがって、照射範囲Ｒの一部または全部がアタッチメント４によって遮られることは、光学ユニット２が被検眼Ｅに近づき過ぎていることに相当する。すなわち、制御部７による上記判定処理は、光学ユニット２が被検眼Ｅに近づき過ぎているか否かを、前眼部像の輝度分布に基づいて判定する処理であると言える。
【００３９】
警告情報の出力について説明する。警告情報は、情報出力部８１の構成に応じた形態を有する。たとえば情報出力部８１が表示デバイスを含む場合、制御部７は、所定の視覚情報（文字列情報、画像情報など）を表示デバイスに表示させる。情報出力部８１が音声出力デバイスを含む場合、制御部７は、所定の聴覚情報（警告音、警告音声メッセージなど）を音声出力デバイスに出力させる。
【００４０】
（Ｓ８）
警告情報の出力を受けて、ユーザは、光学ユニット２の移動を停止し、たとえば被検眼Ｅとアタッチメント４との間の状態を覗き込むなどして確認作業を行う。そして、光学ユニット２を手前（−ｚ方向）に移動させるなどの作業を行った後、光学ユニット２の移動を再開する。
【００４１】
（Ｓ９）
たとえば上記の処理を繰り返した後、Ｓ４において「ＹＥＳ」と判定されたら、ユーザは、所定の操作を行うことにより撮影（検査）を眼科装置１に実行させる。
【００４２】
（他の動作例）
上記の動作においては、前眼部像の輝度分布が許容条件を満足しない場合に警告情報を出力しているが、他の動作を実行するよう構成することが可能である。
【００４３】
たとえば、光学ユニット２が電動で移動される場合、つまり、制御部７がアクチュエータ５１を制御することによって光学ユニット２を移動させる場合、制御部７は、前眼部像の輝度分布が許容条件を満足しない場合にアクチュエータ５１の制御を行うことが可能である。この制御の第１の例として、たとえば、光学ユニット２の移動（つまりアクチュエータ５１の動作）をロックする処理を含む。この場合、制御部７は、所定の解除操作が行われたことに対応し、移動ロック状態を解除する。第２の例として、制御部７は、前方（＋ｚ方向、被検眼Ｅに近づく方向）への光学ユニット２の移動を規制することができる。この場合、たとえば、所定の解除操作が行われたことに対応し、或いは、光学ユニット２が所定位置まで後退されたことに対応し、制御部７は、この移動規制を解除する。
【００４４】
光学ユニット２の移動をロックしたり規制したりする処理をアクチュエータ５１の制御を行うことなく実行することも可能である。たとえば、移動機構５に含まれる機構（アクチュエータ５１以外の構成要素）の動作をロックしたり規制したりするよう構成することが可能である。この構成は、たとえば、移動機構５に含まれる部材の移動や回転をロックしたり規制したりする機構を設けることにより実現される。なお、図１に示す力Ｆ１を伝達する機構や、力Ｆ２を伝達する機構の動作をロックしたり規制したりするように構成することも可能である。
【００４５】
アタッチメント４が装着されているか否かに応じて制御モードを切り替えるように構成することが可能である。上記のように、眼科装置１には、アタッチメント４の装着を検知する装着検知部４１が設けられている。制御部７は、アタッチメント４の装着が検知されないときに第１の制御モードで動作し、アタッチメント４の装着が検知されたときに第２の制御モードで動作するように構成されていてよい。第１および第２の動作モードの組み合わせは、たとえば、上記制御を実行しない第１の制御モードと、上記制御を実行する第２の制御モードとからなる。或いは、第１の動作モードにおける許容条件と、第２の制御モードにおける許容条件とが異なっていてもよい。
【００４６】
また、２以上のアタッチメントが選択的に装着される場合、装着されているアタッチメントの種別を認識できるように装着検知部４１を構成することが可能である。この場合、アタッチメントの種別と許容条件とが関連付けられた関連情報をあらかじめ記憶しておき、装着検知部４１により認識されたアタッチメントの種別に応じた許容条件を選択的に適用するように構成することが可能である。
【００４７】
［効果］
眼科装置１の効果について説明する。
【００４８】
眼科装置１は、被検眼Ｅに関する情報を取得するための情報取得光学系２１（第１の光学系）と、被検眼Ｅの前眼部Ｅａを撮影するための前眼部撮影光学系２２（第２の光学系）とを備える。以下、これらをまとめて「光学系」と称する。さらに、眼科装置１は次の構成要素を備える：光学系を移動させるための移動機構５；光学系が形成する光路と異なる位置に設けられ、被検眼Ｅの前眼部Ｅａに照明光を照射する１以上の前眼部照明光源３（１以上の光源）；照明光が照射されている前眼部Ｅａを前眼部撮影光学系２２により撮影して得られた画像（前眼部像）における画素値の分布を求める画像処理部６；画像処理部６により求められた画素値の分布に基づいて制御を行う制御部７。
【００４９】
このような眼科装置１によれば、光学ユニット２が被検眼Ｅに近づき過ぎているか否かを反映する前眼部像の輝度分布に基づいて制御を行うことが可能である。この制御は、たとえば、その旨を示す報知情報の出力（警告情報の出力）や、光学系の移動のロックや規制を含む。このような構成により、眼科装置１が被検者に接触する事態を防止することが可能となる。
【００５０】
以上に説明した構成は、この発明を好適に実施するための一例に過ぎない。よって、この発明の要旨の範囲内における任意の変形（省略、置換、付加等）を適宜に施すことが可能である。
【符号の説明】
【００５１】
１  眼科装置
２  光学ユニット
２１  情報取得光学系
２２  前眼部撮影光学系
３  前眼部照明光源
４  アタッチメント
４１  装着検知部
５  移動機構
６  画像処理部
７  制御部
８１  情報出力部
８２  操作部
Ｅ  被検眼
Ｅａ  前眼部
【図１】
0006437249.tif 000002
【図２】
0006437249.tif 000003
【図３】
0006437249.tif 000004